(57)【要約】【課題】より迅速に薬剤と食品に関する適切な情報を提供できるようにする。【解決手段】携帯型端末装置は、ユーザが服用中の薬剤と、その薬剤に対して組み合わせ禁忌となる禁忌食材、および禁忌食材が調理されて得られる可能性のある禁忌食品とからなるユーザ禁忌データベースを記録している。携帯型端末装置は、これからユーザが食べようとする判定対象食品の食品画像を撮影して、食品画像から判定対象食品を特定するとともに、その特定結果とユーザ禁忌データベースとを比較して、判定対象食品に禁忌食材が含まれているかを監視する。そして、携帯型端末装置は、判定対象食品に禁忌食材が含まれている場合には、警告メッセージを表示させ、ユーザに注意を喚起する。本技術は、情報処理システムに適用することができる。【選択図】図１
2014016763.tif 000002
【特許請求の範囲】
【請求項１】
禁忌判定の対象となる判定対象食品に関する食品情報を取得する取得部と、
少なくとも薬剤と、前記薬剤に対して禁忌とされている禁忌食材とを示す情報が含まれている禁忌データベース、および前記食品情報に基づいて、前記判定対象食品に、ユーザが服用している前記薬剤の前記禁忌食材が含まれているかを特定する比較部と、
前記比較部による特定結果に応じて、前記薬剤と前記禁忌食材の組み合わせ禁忌について警告通知を行なう警告通知部と
を備える情報処理装置。
【請求項２】
前記禁忌データベースには、前記禁忌食材を含む可能性のある禁忌食品を示す情報がさらに含まれており、
前記取得部は、前記判定対象食品を撮影して得られた食品画像、または前記判定対象食品の食品名に対応する音声を前記食品情報として取得し、
前記食品情報に基づいて、前記判定対象食品を特定する食品特定部をさらに備え、
前記比較部は、前記食品特定部による特定結果と前記禁忌データベースとを比較することで、前記判定対象食品に前記禁忌食材が含まれているかを特定する
請求項１に記載の情報処理装置。
【請求項３】
前記比較部は、前記食品特定部による前記判定対象食品の特定結果が正しくない場合、前記ユーザにより入力された前記判定対象食品を示す情報と、前記禁忌データベースとを比較することで、前記判定対象食品に前記禁忌食材が含まれているかを特定する
請求項２に記載の情報処理装置。
【請求項４】
前記禁忌データベースにおいて、前記ユーザが服用している前記薬剤の前記禁忌食品として前記判定対象食品が含まれていると前記比較部により特定された場合、特定された前記禁忌食品の材料となる前記禁忌食材が前記判定対象食品に含まれているか否かを選択操作により入力させるための食材確認画面を表示させる表示制御部をさらに備え、
前記警告通知部は、前記食材確認画面に対する入力操作に応じて前記警告通知を行なう
請求項３に記載の情報処理装置。
【請求項５】
前記禁忌データベースを取得するデータベース取得部をさらに備える
請求項４に記載の情報処理装置。
【請求項６】
前記禁忌データベースを記録する記録部をさらに備える
請求項５に記載の情報処理装置。
【請求項７】
前記食品情報を送信するとともに、前記食品情報の送信に応じて送信されてきた、前記食品情報に基づく前記判定対象食品の特定結果を受信する通信部をさらに備え、
前記比較部は、前記判定対象食品の前記特定結果と前記禁忌データベースとを比較することで、前記判定対象食品に前記禁忌食材が含まれているかを特定する
請求項１に記載の情報処理装置。
【請求項８】
前記取得部は、前記判定対象食品の食材を示す情報を前記食品情報として取得し、
前記比較部は、前記禁忌データベースにおいて、前記判定対象食品の食材が、前記ユーザが服用している前記薬剤の前記禁忌食材として含まれているかを特定する
請求項１に記載の情報処理装置。
【請求項９】
禁忌判定の対象となる判定対象食品に関する食品情報を取得し、
少なくとも薬剤と、前記薬剤に対して禁忌とされている禁忌食材とを示す情報が含まれている禁忌データベース、および前記食品情報に基づいて、前記判定対象食品に、ユーザが服用している前記薬剤の前記禁忌食材が含まれているかを特定し、
前記禁忌食材が含まれているかの特定結果に応じて、前記薬剤と前記禁忌食材の組み合わせ禁忌について警告通知を行なう
ステップを含む情報処理方法。
【請求項１０】
禁忌判定の対象となる判定対象食品に関する食品情報を取得し、
少なくとも薬剤と、前記薬剤に対して禁忌とされている禁忌食材とを示す情報が含まれている禁忌データベース、および前記食品情報に基づいて、前記判定対象食品に、ユーザが服用している前記薬剤の前記禁忌食材が含まれているかを特定し、
前記禁忌食材が含まれているかの特定結果に応じて、前記薬剤と前記禁忌食材の組み合わせ禁忌について警告通知を行なう
ステップを含む処理をコンピュータに実行させるプログラム。
【請求項１１】
少なくとも薬剤と、前記薬剤に対して禁忌とされている禁忌食材とを示す情報が含まれている組み合わせデータベース、およびユーザが服用している前記薬剤に関するユーザ薬歴情報を記録する記録部と、
前記組み合わせデータベースおよび前記ユーザ薬歴情報に基づいて、前記ユーザが服用している前記薬剤と、その前記薬剤の前記禁忌食材とを示す情報が含まれる禁忌データベースを生成する生成部と、
前記禁忌データベースを送信する通信部と
を備える情報処理装置。
【請求項１２】
前記組み合わせデータベースおよび前記禁忌データベースには、前記禁忌食材を含む可能性のある禁忌食品を示す情報がさらに含まれている
請求項１１に記載の情報処理装置。
【請求項１３】
禁忌判定の対象となる判定対象食品に関する食品情報に基づいて、前記判定対象食品を特定する食品特定部をさらに備え、
前記通信部は、前記食品情報を受信し、前記食品情報に基づく前記判定対象食品の特定結果を送信する
請求項１２に記載の情報処理装置。
【請求項１４】
記録部に記録されている、少なくとも薬剤と、前記薬剤に対して禁忌とされている禁忌食材とを示す情報が含まれている組み合わせデータベース、およびユーザが服用している前記薬剤に関するユーザ薬歴情報に基づいて、前記ユーザが服用している前記薬剤と、その前記薬剤の前記禁忌食材とを示す情報が含まれる禁忌データベースを生成し、
前記禁忌データベースを送信する
ステップを含む情報処理方法。
【請求項１５】
記録部に記録されている、少なくとも薬剤と、前記薬剤に対して禁忌とされている禁忌食材とを示す情報が含まれている組み合わせデータベース、およびユーザが服用している前記薬剤に関するユーザ薬歴情報に基づいて、前記ユーザが服用している前記薬剤と、その前記薬剤の前記禁忌食材とを示す情報が含まれる禁忌データベースを生成し、
前記禁忌データベースを送信する
ステップを含む処理をコンピュータに実行させるプログラム。
【発明の詳細な説明】
【技術分野】
【０００１】
本技術は情報処理装置および方法、並びにプログラムに関し、特に、より迅速に薬剤と食品に関する適切な情報を提供することができるようにした情報処理装置および方法、並びにプログラムに関する。
【背景技術】
【０００２】
現在、医師が発行する処方せんや、薬局で発行されるお薬手帳は紙媒体で運用されているが、利便性や効率性向上の観点から、電子的に処方せんやお薬手帳を共有，管理する仕組みの構築が進められている。
【０００３】
そこで、薬剤の種類や服用時期などの情報を、２次元コードで予め薬袋に印刷しておく技術が提案されている（例えば、特許文献１参照）。この技術では、患者が薬を服用した後、薬袋の２次元コードを携帯端末に読み込ませて薬局側の装置に送信させると、薬局側の装置は携帯端末から患者ごとに薬剤とその服用に関する情報を得ることができるので、各患者の服薬一覧リストを生成することができる。
【０００４】
このような服薬一覧リストを参照すれば、薬剤師や医師等が併用禁忌とされている組み合わせの薬剤を患者に対して処方してしまうことを防止することが可能となる。
【先行技術文献】
【特許文献】
【０００５】
【特許文献１】特開２０１０−１５８４７８号公報
【発明の概要】
【発明が解決しようとする課題】
【０００６】
ところで、特定の食品と薬剤を同時に摂取すると、薬剤の想定された薬効が阻害される場合があることが知られており、禁忌となる薬剤と食品の組み合わせを知らずに患者がそれらを摂取してしまうと、最悪の場合、重篤になってしまうこともある。
【０００７】
しかしながら、現状では早期の段階で禁忌となる薬剤と食品の組み合わせに関する情報を患者に伝える方法がなく、そのような組み合わせ禁忌に関する適切な情報を即時的に患者に対して提供できる技術が望まれている。
【０００８】
本技術は、このような状況に鑑みてなされたものであり、より迅速に薬剤と食品に関する適切な情報を提供することができるようにするものである。
【課題を解決するための手段】
【０００９】
本技術の第１の側面の情報処理装置は、禁忌判定の対象となる判定対象食品に関する食品情報を取得する取得部と、少なくとも薬剤と、前記薬剤に対して禁忌とされている禁忌食材とを示す情報が含まれている禁忌データベース、および前記食品情報に基づいて、前記判定対象食品に、ユーザが服用している前記薬剤の前記禁忌食材が含まれているかを特定する比較部と、前記比較部による特定結果に応じて、前記薬剤と前記禁忌食材の組み合わせ禁忌について警告通知を行なう警告通知部とを備える。
【００１０】
前記禁忌データベースには、前記禁忌食材を含む可能性のある禁忌食品を示す情報がさらに含まれるようにし、前記取得部には、前記判定対象食品を撮影して得られた食品画像、または前記判定対象食品の食品名に対応する音声を前記食品情報として取得させ、情報処理装置には、前記食品情報に基づいて、前記判定対象食品を特定する食品特定部をさらに設け、前記比較部には、前記食品特定部による特定結果と前記禁忌データベースとを比較することで、前記判定対象食品に前記禁忌食材が含まれているかを特定させることができる。
【００１１】
前記比較部には、前記食品特定部による前記判定対象食品の特定結果が正しくない場合、前記ユーザにより入力された前記判定対象食品を示す情報と、前記禁忌データベースとを比較することで、前記判定対象食品に前記禁忌食材が含まれているかを特定させることができる。
【００１２】
情報処理装置には、前記禁忌データベースにおいて、前記ユーザが服用している前記薬剤の前記禁忌食品として前記判定対象食品が含まれていると前記比較部により特定された場合、特定された前記禁忌食品の材料となる前記禁忌食材が前記判定対象食品に含まれているか否かを選択操作により入力させるための食材確認画面を表示させる表示制御部をさらに設け、前記警告通知部には、前記食材確認画面に対する入力操作に応じて前記警告通知を行なわせることができる。
【００１３】
情報処理装置には、前記禁忌データベースを取得するデータベース取得部をさらに設けることができる。
【００１４】
情報処理装置には、前記禁忌データベースを記録する記録部をさらに設けることができる。
【００１５】
情報処理装置には、前記食品情報を送信するとともに、前記食品情報の送信に応じて送信されてきた、前記食品情報に基づく前記判定対象食品の特定結果を受信する通信部をさらに設け、前記比較部には、前記判定対象食品の前記特定結果と前記禁忌データベースとを比較することで、前記判定対象食品に前記禁忌食材が含まれているかを特定させることができる。
【００１６】
前記取得部には、前記判定対象食品の食材を示す情報を前記食品情報として取得させ、前記比較部には、前記禁忌データベースにおいて、前記判定対象食品の食材が、前記ユーザが服用している前記薬剤の前記禁忌食材として含まれているかを特定させることができる。
【００１７】
本技術の第１の側面の情報処理方法またはプログラムは、禁忌判定の対象となる判定対象食品に関する食品情報を取得し、少なくとも薬剤と、前記薬剤に対して禁忌とされている禁忌食材とを示す情報が含まれている禁忌データベース、および前記食品情報に基づいて、前記判定対象食品に、ユーザが服用している前記薬剤の前記禁忌食材が含まれているかを特定し、前記禁忌食材が含まれているかの特定結果に応じて、前記薬剤と前記禁忌食材の組み合わせ禁忌について警告通知を行なうステップを含む。
【００１８】
本技術の第１の側面においては、禁忌判定の対象となる判定対象食品に関する食品情報が取得され、少なくとも薬剤と、前記薬剤に対して禁忌とされている禁忌食材とを示す情報が含まれている禁忌データベース、および前記食品情報に基づいて、前記判定対象食品に、ユーザが服用している前記薬剤の前記禁忌食材が含まれているかが特定され、前記禁忌食材が含まれているかの特定結果に応じて、前記薬剤と前記禁忌食材の組み合わせ禁忌について警告通知が行なわれる。
【００１９】
本技術の第２の側面の情報処理装置は、少なくとも薬剤と、前記薬剤に対して禁忌とされている禁忌食材とを示す情報が含まれている組み合わせデータベース、およびユーザが服用している前記薬剤に関するユーザ薬歴情報を記録する記録部と、前記組み合わせデータベースおよび前記ユーザ薬歴情報に基づいて、前記ユーザが服用している前記薬剤と、その前記薬剤の前記禁忌食材とを示す情報が含まれる禁忌データベースを生成する生成部と、前記禁忌データベースを送信する通信部とを備える。
【００２０】
前記組み合わせデータベースおよび前記禁忌データベースには、前記禁忌食材を含む可能性のある禁忌食品を示す情報がさらに含まれるようにすることができる。
【００２１】
情報処理装置には、禁忌判定の対象となる判定対象食品に関する食品情報に基づいて、前記判定対象食品を特定する食品特定部をさらに設け、前記通信部には、前記食品情報を受信させ、前記食品情報に基づく前記判定対象食品の特定結果を送信させることができる。
【００２２】
本技術の第２の側面の情報処理方法またはプログラムは、記録部に記録されている、少なくとも薬剤と、前記薬剤に対して禁忌とされている禁忌食材とを示す情報が含まれている組み合わせデータベース、およびユーザが服用している前記薬剤に関するユーザ薬歴情報に基づいて、前記ユーザが服用している前記薬剤と、その前記薬剤の前記禁忌食材とを示す情報が含まれる禁忌データベースを生成し、前記禁忌データベースを送信するステップを含む。
【００２３】
本技術の第２の側面においては、記録部に記録されている、少なくとも薬剤と、前記薬剤に対して禁忌とされている禁忌食材とを示す情報が含まれている組み合わせデータベース、およびユーザが服用している前記薬剤に関するユーザ薬歴情報に基づいて、前記ユーザが服用している前記薬剤と、その前記薬剤の前記禁忌食材とを示す情報が含まれる禁忌データベースが生成され、前記禁忌データベースが送信される。
【発明の効果】
【００２４】
本技術の第１の側面および第２の側面によれば、より迅速に薬剤と食品に関する適切な情報を提供することができる。
【図面の簡単な説明】
【００２５】
【図１】本技術の概要について説明する図である。
【図２】情報処理システムの構成例を示す図である。
【図３】携帯型端末装置の構成例を示す図である。
【図４】ユーザ禁忌データベースの一例を示す図である。
【図５】薬局内システムの構成例を示す図である。
【図６】データセンタの構成例を示す図である。
【図７】ユーザ禁忌データベース保存処理、薬歴データ送信処理、および薬歴更新処理について説明するフローチャートである。
【図８】禁忌判定処理について説明するフローチャートである。
【図９】携帯型端末装置の構成例を示す図である。
【図１０】データセンタの構成例を示す図である。
【図１１】禁忌判定処理および食品特定処理について説明するフローチャートである。
【図１２】禁忌判定処理について説明するフローチャートである。
【図１３】コンピュータの構成例を示す図である。
【発明を実施するための形態】
【００２６】
以下、図面を参照して、本技術を適用した実施の形態について説明する。
【００２７】
〈第１の実施の形態〉
［本技術の概要について］
まず、本技術の概要について説明する。
【００２８】
例えば、薬剤（医薬品）には、その薬剤を服用しているときに摂取すると、副作用や薬効阻害などが生じる食材（以下、禁忌食材とも称する）があることが医学的、薬学的に明らかになっている。そこで、本技術では、図１の矢印Ａ１１に示すように各薬剤（医薬品）と、その薬剤についての禁忌食材とからなる禁忌リストが用いられて、矢印Ａ１２に示す組み合わせデータベースが生成される。
【００２９】
矢印Ａ１１で示される禁忌リストには、薬剤の名称である医薬品名と、その薬剤に対する禁忌食材との組み合わせが示されている。例えば、医薬品名が「ワーファリン」である薬剤に対して禁忌とされる食材は禁忌食材「納豆」であることが分かる。
【００３０】
このような医薬品名と禁忌食材のリストから、矢印Ａ１２に示すように、医薬品名と、その医薬品名の薬剤の禁忌食材、およびその禁忌食材が用いられている可能性のある食品（以下、禁忌食品とも称する）とが示される組み合わせデータベースが生成されている。
【００３１】
ここで、食材とは、調理によってできあがる食品（料理）の材料となるものであり、食品とは、１または複数の食材を調理して得られる食べ物である。但し、食材のなかには、そのまま食品として食されるものもあるので、そのような食材は、その食材自体がそのまま食品とされることもある。例えば「納豆」は、「味噌汁」や「手巻き寿司」などの食品の材料となるので、それらの食品の材料となるが、「納豆」自体がそのまま食されることもあるので、食品ともなり得る。
【００３２】
また、矢印Ａ１２に示される組み合わせデータベースでは、例えば医薬品名「ワーファリン」に対する禁忌食材が「納豆」とされており、禁忌食材「納豆」から得られる可能性のある禁忌食品として「納豆」、「味噌汁」、および「手巻き寿司」が示されている。
【００３３】
本技術では、このようにして予め用意された組み合わせデータベースに基づいて、現在患者が服用中である薬剤（医薬品）について、患者が禁忌となる食材を摂取してしまわないように警告が発せられる。
【００３４】
具体的には、例えばある患者が特定の薬剤を服用中であるとすると、服用中の薬剤と、その薬剤についての禁忌食材および禁忌食品とに関する情報が組み合わせデータベースから抽出されて、ユーザ禁忌データベースとされる。そして、得られたユーザ禁忌データベースに基づいて、患者の服用する薬剤に対して禁忌となる食材や食品の摂取が監視される。
【００３５】
例えば、患者Ａが薬剤として「イスコチン」（登録商標）を服用中であるとする。この場合、矢印Ａ１２に示した組み合わせデータベースから、医薬品名「イスコチン」と、「イスコチン」に対する禁忌食材「マグロ」、および禁忌食品「寿司」，「刺身」，「海鮮丼」とが抽出されて、患者Ａのユーザ禁忌データベースが生成される。
【００３６】
このようにして生成されたユーザ禁忌データベースは、例えば患者Ａが所有する携帯型端末装置１１に保存される。そして、患者Ａは、食事をしようとする場合には、矢印Ａ１３に示すように、所有する携帯型端末装置１１で、食べようとしている食事（食品）を撮影する。
【００３７】
すると、携帯型端末装置１１により撮影された食事の画像に基づいて、患者Ａが食べようとしている食品が画像解析等により特定される。さらに、その特定結果と、ユーザ禁忌データベースとが比較されて、患者Ａが食べようとしている食品が禁忌食品であるか否かが判定される。
【００３８】
患者Ａの例では、服用中の薬剤は「イスコチン」であるから、その禁忌食品「寿司」，「刺身」，「海鮮丼」のみを監視すればよい。例えば、食品の特定結果として薬剤「イスコチン」の禁忌食品が得られた場合には、矢印Ａ１４に示すように禁忌食品の材料となる禁忌食材が食事に含まれているか否かを選択操作によりユーザに入力させるための食材確認画面が携帯型端末装置１１に表示される。この例では、食材確認画面には、食べようとする食品に禁忌食材「マグロ」が含まれているか否かの選択を促す文字メッセージ「マグロを含んでいますか？」と、その選択のためのボタンが表示されており、ボタンにはそれぞれ文字「はい」と「いいえ」が表示されている。
【００３９】
この状態で、食べようとする食品に禁忌食材である「マグロ」が含まれている場合には、患者Ａは、食材確認画面で文字「はい」が表示されているボタンを操作することで、食品にマグロが含まれているとする。
【００４０】
そのような場合、携帯型端末装置１１には、矢印Ａ１５に示すように、服用中の薬剤「イスコチン」と禁忌食材「マグロ」との組み合わせに関する警告メッセージとともに、注意を促すマーク「！」が表示される。この例では、警告メッセージとして、「Ａ様が服薬中のイスコチンはマグロと同時に摂取すると、効能の低下や重大な副作用を引き起こす可能性があります」が表示されており、特に薬剤「イスコチン」と禁忌食材「マグロ」の文字は、異なる色や太さで強調表示されている。患者Ａは、このような警告メッセージを確認すると、必要に応じて食事のメニューを変更したり、禁忌食材の摂取を控えたりする。
【００４１】
一方、矢印Ａ１４に示した食材確認画面が表示されている状態で、食べようとする食品に禁忌食材である「マグロ」が含まれていない場合には、患者Ａは、食材確認画面で文字「いいえ」が表示されているボタンを操作することで、食品にマグロが含まれていないとする。すると、携帯型端末装置１１には、矢印Ａ１６に示すように、組み合わせに関する危険性はない旨のメッセージとともに、安全であることを想起させるマーク「○」が表示される。この例では、危険性がない旨のメッセージとして、「Ａ様が服用中のお薬と今回のメニューでは同時摂取による危険性は見つかりませんでした」が表示されている。
【００４２】
また、矢印Ａ１３に示したように食事の画像が撮影され、特定された食品とユーザ禁忌データベースとの比較の結果、患者Ａが食べようとしている食品が禁忌食品でないと判定された場合にも、例えば矢印Ａ１６に示したメッセージが表示される。
【００４３】
このように、ユーザ禁忌データベースを予め用意しておくことで、食べようとする食品とユーザ禁忌データベースとから、簡単かつ迅速に、ユーザ（患者）に対して薬剤と食品に関する適切な情報を提供することができる。これにより、ユーザ（患者）は、これから食べようとする食品を撮影するという簡単な作業だけで、食べようとしている食品に組み合わせの危険性がないかを即座に知ることができる。
【００４４】
［情報処理システムの構成例］
次に、本技術を適用した具体的な実施の形態について説明する。
【００４５】
図２は、本技術を適用した情報処理システムの一実施の形態の構成例を示す図である。なお、図２において、図１における場合と対応する部分には同一の符号を付してあり、その説明は適宜省略する。
【００４６】
図２の情報処理システムは、携帯型端末装置１１、薬局内システム１２、病院内システム１３、およびデータセンタ１４から構成され、薬局内システム１２乃至データセンタ１４は、インターネットなど、有線や無線のネットワークからなる通信網１５を介して、相互に接続されている。
【００４７】
携帯型端末装置１１は、ユーザ（患者）が所持する携帯型電話機やデジタルカメラなどからなり、図示せぬ通信網や通信網１５を介して薬局内システム１２乃至データセンタ１４と通信し、必要に応じて情報の授受を行なう。
【００４８】
また、携帯型端末装置１１は、ユーザに固有のＩＤである個人識別ＩＤを記録している。なお、個人識別ＩＤは、一意にユーザを特定することのできる識別情報であるが、他人が個人識別ＩＤを入手しただけでは、一般的にはその個人識別ＩＤにより識別されるユーザ個人を特定することができない（困難である）情報とされる。
【００４９】
薬局内システム１２は、ユーザが処方された薬剤を購入する薬局内に設けられており、１または複数の装置から構成されている。薬局内システム１２は、携帯型端末装置１１との非接触通信などの近接通信により、携帯型端末装置１１から個人識別ＩＤを読み出したり、薬剤師等の入力操作に応じて各種の処理を行なったりする。
【００５０】
また、薬局内システム１２には、患者であるユーザの個人情報や、薬歴に関するデータ（以下、薬歴データと称する）、薬局内システム１２を特定する調剤薬局ＩＤ、調剤薬局内ユーザＩＤなどからなる個人／薬歴情報がユーザごとに記録されている。
【００５１】
各ユーザの薬歴データには、薬局等においてユーザのために調剤された薬剤に関する情報や、その薬剤の処方せんに関する情報、薬歴データを特定する薬歴ＩＤなどが含まれている。より具体的には、例えば薬歴データには、処方された薬剤を示す情報や、薬剤の処方日や処方日数、薬歴ＩＤなどの情報が含まれている。
【００５２】
また、個人／薬歴情報に含まれている調剤薬局内ユーザＩＤは、薬局内システム１２を構成する装置のみがユーザを特定することが可能なＩＤであり、他人が入手しただけでは、直接的にユーザを特定することができない情報である。
【００５３】
薬局内システム１２は、必要に応じて個人／薬歴情報を生成して記録したり、個人／薬歴情報に含まれる薬歴データ等をデータセンタ１４に送信したりする。
【００５４】
病院内システム１３は、患者であるユーザが通院する病院内に設けられており、１または複数の装置から構成されている。病院内システム１３は、携帯型端末装置１１との非接触通信などの近接通信により、携帯型端末装置１１から個人識別ＩＤを読み出したり、医師等の入力操作に応じて各種の処理を行なったりする。
【００５５】
また、病院内システム１３には、患者であるユーザの個人情報や、診察に関するデータ（以下、診察データと称する）、病院内システム１３を特定する医療機関ＩＤ、医療機関内ユーザＩＤなどからなる個人／診察情報がユーザごとに記録されている。
【００５６】
なお、個人／診察情報に含まれている医療機関内ユーザＩＤは、病院内システム１３を構成する装置のみがユーザを特定することが可能なＩＤであり、他人が入手しただけでは、直接的にユーザを特定することができない情報である。
【００５７】
病院内システム１３は、必要に応じて個人／診察情報を生成して記録したり、個人／診察情報に含まれる診察データ等をデータセンタ１４に送信したりする。
【００５８】
データセンタ１４は、１または複数の装置から構成され、薬局内システム１２および病院内システム１３から薬歴データや診察データを受信して記録したり、それらのデータを要求に応じて薬局内システム１２や病院内システム１３に送信したりする。すなわち、データセンタ１４に記録される薬歴データや診察データは、各薬局内システム１２や病院内システム１３によって共有される。
【００５９】
データセンタ１４は、薬歴データや診察データを受信すると、ユーザ薬歴情報を更新する。ユーザ薬歴情報には、ユーザの個人識別ＩＤ、調剤薬局ＩＤまたは医療機関ＩＤ、調剤薬局内ユーザＩＤまたは医療機関内ユーザＩＤ、薬歴データまたは診察データ、およびユーザの電子メールアドレス等の連絡先が含まれている。
【００６０】
また、データセンタ１４は、上述した組み合わせデータベースも記録しており、組み合わせデータベースと、ユーザ薬歴情報とからユーザごとにユーザ禁忌データベースを生成し、携帯型端末装置１１に送信する。
【００６１】
［携帯型端末装置の構成例］
続いて、図２の携帯型端末装置１１、薬局内システム１２、およびデータセンタ１４のより詳細な構成について説明する。
【００６２】
まず、携帯型端末装置１１の構成から説明する。図３は、携帯型端末装置１１の構成例を示すブロック図である。
【００６３】
携帯型端末装置１１は、通信部４１、近接通信部４２、入力部４３、撮影部４４、制御部４５、記録部４６、および表示部４７から構成される。
【００６４】
通信部４１は、データセンタ１４などの外部の装置と通信し、各種のデータを受信して制御部４５に供給したり、制御部４５から供給されたデータを送信したりする。近接通信部４２は、薬局内システム１２や病院内システム１３と非接触通信し、制御部４５を介して記録部４６から読み出された個人識別ＩＤを送信したり、必要な情報を受信して制御部４５に供給したりする。
【００６５】
入力部４３は、例えば入力ボタンやタッチパネル、マイクロホンなどからなり、ユーザにより入力された情報や音声を制御部４５に供給する。撮影部４４はカメラなどからなり、所望の被写体を撮影して、得られた画像を制御部４５に供給する。
【００６６】
なお、以下では、撮影部４４により撮影されて得られた画像のうち、組み合わせ禁忌の有無の特定に用いられる画像、つまりこれからユーザが食べようとする食品の画像を、食品画像とも称することとする。また、以下、食品画像の被写体となる食品を、特に判定対象食品とも称することとする。
【００６７】
制御部４５は、携帯型端末装置１１全体の動作を制御する。制御部４５は、食品特定部５１、比較部５２、警告通知部５３、および表示制御部５４を備えている。
【００６８】
食品特定部５１は、撮影部４４からの食品画像や、入力部４３からの音声に基づいて判定対象食品を特定する。比較部５２は、記録部４６に記録されているユーザ禁忌データベースと判定対象食品とを比較して、判定対象食品に禁忌食材が含まれているかを特定する。
【００６９】
警告通知部５３は、判定対象食品に禁忌食材が含まれている場合に、ユーザに対して警告を発する。例えば、ユーザに対する警告は表示制御部５４による表示部４７への警告メッセージの表示や、図示せぬスピーカからの音声メッセージの出力により行なわれる。表示制御部５４は、表示部４７への各種のメッセージや画像の表示を制御する。
【００７０】
記録部４６は、制御部４５により実行されるプログラムや、ユーザ禁忌データベース、個人識別ＩＤを記録しており、必要に応じてそれらのデータを制御部４５に供給する。表示部４７は、液晶表示パネルなどからなり、制御部４５から供給されたデータに基づいて各種の画像や文字メッセージを表示する。
【００７１】
また、データセンタ１４から取得され、記録部４６に記録されるユーザ禁忌データベースには、例えば図４に示すように、医薬品名、禁忌栄養素、禁忌食材、および禁忌食品を示す情報が含まれている。
【００７２】
図４の例では、ユーザ禁忌データベースには、ユーザが服用中の薬剤の医薬品名「ワーファリン」が含まれており、その薬剤に対する禁忌栄養素「ビタミンＫ」が含まれている。また、禁忌栄養素「ビタミンＫ」を含む禁忌食材として「納豆」が含まれており、禁忌食材「納豆」が含まれる可能性のある禁忌食品として「納豆」、「味噌汁」、および「手巻き寿司」が含まれている。
【００７３】
なお、ユーザ禁忌データベースの生成に用いる組み合わせデータベースを生成するときに、薬剤と禁忌栄養素の組み合わせに関する情報として、既存の情報を用いればよい。例えば一般に発行されている、医学的、薬学的に組み合わせ禁忌が明らかになっている栄養素と医薬品が一覧となっているデータベースなどを利用すればよい。
【００７４】
図４の例では、組み合わせ禁忌となる栄養素と医薬品の組み合わせで特定される禁忌栄養素に関してのみ、医薬品名、禁忌栄養素、禁忌食材、および禁忌食品をテーブル化して組み合わせデータベースとしておけばよい。
【００７５】
そうすれば、データベース構築の効率化を図ることができるだけでなく、組み合わせデータベースから得られるユーザ禁忌データベースに基づいて禁忌食材を検出する場合に、食品を栄養素まで解析する必要がなくなり、処理プロセスの効率化も図ることができる。特に、組み合わせデータベースやユーザ禁忌データベースの構築にあたっては、現状で医学的、薬学的に明らかとなっている禁忌の組み合わせから、必要最小限のデータのみをテーブル化すれば、データベースの構築や更新を効率化することができる。
【００７６】
また、以下では、ユーザ禁忌データベースのうち、「禁忌食材」の欄に記載されている各禁忌食材からなる部分を、禁忌食材リストとも称することとし、「可能性のある禁忌食品」の欄に記載されている各禁忌食品からなる部分を禁忌食品リストとも称することとする。
【００７７】
さらに、図４に示したユーザ禁忌データベースには、「禁忌栄養素」の欄が設けられているが、禁忌栄養素に関する情報は必ずしもユーザ禁忌データベースや組み合わせデータベースに含まれている必要はない。
【００７８】
［薬局内システムの構成例］
図５は、薬局内システム１２の構成例を示す図である。なお、図５では、薬局内システム１２は１つの装置として構成されているが、薬局内システム１２は複数の装置から構成されるようにしてもよい。
【００７９】
薬局内システム１２は、情報識別リーダ８１、通信部８２、入力部８３、表示部８４、制御部８５、および薬局内データベース８６から構成される。
【００８０】
情報識別リーダ８１は、携帯型端末装置１１の近接通信部４２と非接触通信し、携帯型端末装置１１から個人識別ＩＤを読み出して制御部８５に供給する。通信部８２は、通信網１５を介してデータセンタ１４等の各装置と通信し、送信されてきた情報を受信して制御部８５に供給したり、制御部８５から供給された情報を送信したりする。
【００８１】
入力部８３は、マウスなどからなり、薬剤師等の操作に応じた信号を制御部８５に供給する。表示部８４は、液晶表示パネルなどからなり、制御部８５から供給されたデータに基づいて画像等を表示する。
【００８２】
制御部８５は、薬局内システム１２全体の動作を制御する。薬局内データベース８６は、個人／薬歴情報等の各種のデータを記録し、必要に応じてそれらのデータを制御部８５に供給する。
【００８３】
［データセンタの構成例］
また、図６は、データセンタ１４の構成例を示す図である。なお、図６では、データセンタ１４は１つの装置として構成されているが、データセンタ１４は複数の装置から構成されるようにしてもよい。
【００８４】
データセンタ１４は、通信部１２１、制御部１２２、およびサーバ内データベース１２３から構成される。
【００８５】
通信部１２１は、通信網１５などを介して薬局内システム１２や携帯型端末装置１１と通信し、受信した情報を制御部１２２に供給したり、制御部１２２から供給された情報を送信したりする。
【００８６】
制御部１２２は、データセンタ１４全体の動作を制御する。制御部１２２は、更新部１３１、生成部１３２、および検索部１３３を備えている。
【００８７】
更新部１３１は、受信された薬歴データ等に基づいて、サーバ内データベース１２３に記録されているユーザ薬歴情報を更新する。生成部１３２は、サーバ内データベース１２３に記録されているユーザ薬歴情報と組み合わせデータベースに基づいて、ユーザ禁忌データベースを生成する。検索部１３３は、サーバ内データベース１２３に記録されているユーザ薬歴情報から必要な情報を検索する。
【００８８】
サーバ内データベース１２３は、ユーザ薬歴情報や組み合わせデータベースなどの各種のデータを記録しており、必要に応じて記録しているデータを制御部１２２に供給する。
【００８９】
例えば、組み合わせデータベースには、薬剤の医薬品名、その薬剤の禁忌栄養素、禁忌栄養素が含まれる禁忌食材、および禁忌食材から得られる禁忌食品を示す各情報が含まれている。そして、組み合わせデータベースの特定の薬剤に関係する部分の情報が抽出されて、ユーザ禁忌データベースとされる。
【００９０】
なお、組み合わせデータベースには、少なくとも医薬品名と禁忌食材に関する情報が含まれていればよく、例えば禁忌栄養素の情報は含まれていなくてもよい。また、組み合わせデータベースに含まれている各種別の情報は、いくつかのデータベースに分けられているようにしてもよい。そのような場合、例えば医薬品名と禁忌栄養素とが含まれるデータベースと、禁忌栄養素、禁忌食材、および禁忌食品が含まれるデータベースとが予め用意され、それらのデータベースが１つの組み合わせデータベースとして用いられて、ユーザ禁忌データベースが生成される。
【００９１】
［ユーザ禁忌データベース保存処理の説明］
次に、図２の情報処理システムの動作について説明する。
【００９２】
例えば、患者であるユーザが処方せんを持って薬局へ行き、処方された薬剤を受け取る場合、薬局に設けられた薬局内システム１２では個人／薬歴情報が生成され、薬歴データ等がデータセンタ１４へと送信される。また、データセンタ１４では、薬歴データ等からユーザ薬歴情報が更新されるとともに、ユーザ禁忌データベースが生成されて携帯型端末装置１１に送信される。
【００９３】
以下、図７のフローチャートを参照して、このような場合に携帯型端末装置１１、薬局内システム１２、およびデータセンタ１４により行なわれる、ユーザ禁忌データベース保存処理、薬歴データ送信処理、および薬歴更新処理について説明する。
【００９４】
まず、ユーザが薬局に行き、携帯型端末装置１１を薬局内システム１２の情報識別リーダ８１にかざすと、携帯型端末装置１１と薬局内システム１２は非接触通信を開始する。すると、携帯型端末装置１１の制御部４５は、薬局内システム１２からの要求に応じて、記録部４６から個人識別ＩＤを読み出して近接通信部４２に供給する。
【００９５】
ステップＳ１１において、近接通信部４２は、制御部４５から供給された個人識別ＩＤを薬局内システム１２に送信する。
【００９６】
ステップＳ２１において、薬局内システム１２の情報識別リーダ８１は、近接通信部４２から送信されてきた個人識別ＩＤを受信して、制御部８５に供給する。
【００９７】
すると、薬局内システム１２は、個人識別ＩＤと調剤薬局ＩＤを、通信網１５を介してデータセンタ１４に送信して、ユーザに関する情報を取得する。
【００９８】
例えば、データセンタ１４の検索部１３３は、サーバ内データベース１２３に記録されているユーザ薬歴情報のなかから、薬局内システム１２から受信した個人識別ＩＤと調剤薬局ＩＤが含まれているものを検出する。そして制御部１２２は、検出により得られたユーザ薬歴情報に含まれている調剤薬局内ユーザＩＤと薬歴データを通信部１２１に供給し、薬局内システム１２に送信させる。
【００９９】
薬局内システム１２は、データセンタ１４から調剤薬局内ユーザＩＤと薬歴データを受信すると、調剤薬局内ユーザＩＤからユーザを特定できるようになる。薬局内システム１２は、必要に応じてユーザの薬歴データを表示させ、薬剤師等はユーザの個人確認を行なったり、入力部８３を操作して、調剤した薬剤に関する薬歴データを入力したりする。
【０１００】
ステップＳ２２において、制御部８５は、新たに入力された薬歴データに基づいて、個人／薬歴情報を更新する。すなわち、制御部８５は、新たに生成した薬歴データが含まれる個人／薬歴情報を薬局内データベース８６に供給して記録させる。例えば、新たな薬歴データには、調剤した薬剤を示す情報や、薬剤の処方日、薬剤の処方日数、薬歴データを特定する薬歴ＩＤなどが含まれている。
【０１０１】
また、制御部８５は、個人識別ＩＤ、調剤薬局ＩＤ、および新たに生成された薬歴データを通信部８２に供給する。
【０１０２】
ステップＳ２３において、通信部８２は、制御部８５から供給された個人識別ＩＤ、調剤薬局ＩＤ、および薬歴データを、通信網１５を介してデータセンタ１４に送信し、薬歴データ送信処理は終了する。
【０１０３】
ステップＳ３１において、データセンタ１４の通信部１２１は、薬局内システム１２から送信されてきた個人識別ＩＤ、調剤薬局ＩＤ、および薬歴データを受信して制御部１２２に供給する。
【０１０４】
ステップＳ３２において、制御部１２２の更新部１３１は、通信部１２１から供給された個人識別ＩＤ、調剤薬局ＩＤ、および薬歴データを含むユーザ薬歴情報を生成してサーバ内データベース１２３に記録させることで、ユーザ薬歴情報を更新する。
【０１０５】
ステップＳ３３において、生成部１３２は、通信部１２１から供給された個人識別ＩＤおよび薬歴データと、サーバ内データベース１２３に記録されている組み合わせデータベースとに基づいて、ユーザ禁忌データベースを生成する。
【０１０６】
例えば、薬歴データに含まれている医薬品名が「ワーファリン」である場合、生成部１３２は組み合わせデータベースから「ワーファリン」に関連している情報を抽出して、図４に示したユーザ禁忌データベースを生成し、通信部１２１に供給する。
【０１０７】
なお、生成部１３２がユーザ禁忌データベースの生成時に、薬歴データに含まれる処方日数等に基づいて、ユーザ禁忌データベースの有効期間を示す情報を生成し、ユーザ禁忌データベースとともに携帯型端末装置１１に送信するようにしてもよい。そのような場合、携帯型端末装置１１では、有効期間を経過したユーザ禁忌データベースを削除することができる。例えば、記録部４６にユーザ禁忌データベースとともにその有効期間を示す情報が記録され、制御部４５は、有効期間を示す情報を監視して、ユーザ禁忌データベースの有効期間が過ぎた場合には、記録部４６からユーザ禁忌データベースを削除する。
【０１０８】
ステップＳ３４において、通信部１２１は、制御部１２２から供給されたユーザ禁忌データベースを、携帯型端末装置１１に送信し、薬歴更新処理は終了する。例えば、ユーザ禁忌データベースの送信先は、サーバ内データベース１２３に記録されているユーザ薬歴情報に含まれている。なお、データセンタ１４にアクセスしてきた携帯型端末装置１１に対して、ユーザ禁忌データベースが送信されるようにしてもよい。そのような場合、薬歴ＩＤや個人識別ＩＤによりユーザの特定を行なえばよい。
【０１０９】
ステップＳ１２において、携帯型端末装置１１の通信部４１は、データセンタ１４から送信されてきたユーザ禁忌データベースを受信して制御部４５に供給する。
【０１１０】
ステップＳ１３において、制御部４５は、通信部４１から供給されたユーザ禁忌データベースを記録部４６に供給して記録させ、ユーザ禁忌データベース保存処理は終了する。
【０１１１】
以上のようにして、データセンタ１４は、新たな薬歴データが取得されると、その薬歴データと組み合わせデータベースに基づいて、ユーザ禁忌データベースを生成し、携帯型端末装置１１に送信する。また、携帯型端末装置１１は、データセンタ１４からユーザ禁忌データベースを受信すると、受信したユーザ禁忌データベースを記録する。
【０１１２】
このように、予めユーザ禁忌データベースを生成して保存しておくことで、携帯型端末装置１１は、より迅速に薬剤と食品に関する適切な情報を、ユーザに対して提供することができるようになる。
【０１１３】
なお、携帯型端末装置１１の記録部４６に、お薬手帳として、薬局内システム１２で生成された薬歴データが記録されている場合には、携帯型端末装置１１が直接、データセンタ１４に対してユーザ禁忌データベースの生成を要求するようにしてもよい。
【０１１４】
そのような場合、例えば携帯型端末装置１１の制御部４５は、記録部４６に記録されている薬歴データに含まれている薬歴ＩＤを抽出し、通信部４１に供給する。そして、通信部４１は、制御部４５からの薬歴ＩＤをデータセンタ１４に送信して、ユーザ禁忌データベースの生成を要求する。
【０１１５】
すると、データセンタ１４の通信部１２１は、携帯型端末装置１１から送信されてきた薬歴ＩＤを受信して制御部１２２に供給する。また、制御部１２２の生成部１３２は、携帯型端末装置１１からの要求に応じて、通信部１２１から供給された薬歴ＩＤに基づいてユーザ禁忌データベースを生成する。すなわち、生成部１３２は、サーバ内データベース１２３から、通信部１２１からの薬歴ＩＤが含まれている薬歴データを検索する。そして、生成部１３２は、検索の結果得られた薬歴データと、サーバ内データベース１２３に記録されている組み合わせデータベースとから、ユーザ禁忌データベースを生成する。
【０１１６】
［禁忌判定処理の説明］
以上のようにして携帯型端末装置１１にユーザ禁忌データベースが記録されると、ユーザは、ユーザ禁忌データベースを利用して、組み合わせ禁忌の判定をするアプリケーションプログラムなどにより、組み合わせ禁忌に関する情報を得ることができるようになる。
【０１１７】
例えば、ユーザが入力部４３を操作して、組み合わせ禁忌の判定をするアプリケーションプログラムの実行を指示すると、制御部４５はその指示にしたがって記録部４６に記録されているプログラム実行する。すると、携帯型端末装置１１により禁忌判定処理が開始される。以下、図８のフローチャートを参照して、携帯型端末装置１１による禁忌判定処理について説明する。
【０１１８】
ステップＳ６１において、撮影部４４は食品情報を取得する。
【０１１９】
例えば、撮影部４４は、ユーザの操作に応じて、ユーザがこれから食べようとする判定対象食品の特定に用いられる食品情報として、判定対象食品の食品画像を撮影し、制御部４５に供給する。また、入力部４３としてのマイクロホンが、ユーザにより発せられた判定対象食品名に対応する音声の音声信号を、食品情報として取得して制御部４５に供給するようにしてもよい。
【０１２０】
ステップＳ６２において、食品特定部５１は、取得された食品情報に基づいて、判定対象食品を特定する。
【０１２１】
例えば、食品情報として食品画像が得られた場合、食品特定部５１は、食品画像から色情報や図形情報などの特徴量を抽出し、抽出した特徴量と、予め食品ごとに用意された特徴量とを比較することで、判定対象食品を特定する。
【０１２２】
なお、画像認識により判定対象食品を特定する方法は、特徴量を利用する方法に限らず、どのような方法であってもよい。例えば、特徴量を利用してパターンマッチングや統計識別、構造識別などにより食品を特定する方法は、特開２０１１−２８３８２号公報や特開２０１０−２８６９６０号公報、特開２００４−１１８５６２号公報などに記載されている。
【０１２３】
また、例えば食品情報として音声信号が得られた場合、食品特定部５１は、入力部４３から食品情報として供給された音声信号に対して特徴量を利用した音声認識を行い、判定対象食品を特定する。
【０１２４】
なお、判定対象食品の特定は、食品画像に対する画像認識と音声信号に対する音声認識の両方を用いて行なわれてもよいし、それらのうちの何れか一方が用いられるようにしてもよい。
【０１２５】
ステップＳ６３において、表示制御部５４は、食品リストを表示部４７に表示させる。すなわち、比較部５２は、食品特定部５１により特定された１または複数の判定対象食品のリストを食品リストとして生成する。そして、表示制御部５４は、生成された食品リストを含む、各判定対象食品の特定結果が正しいか否かの確認のための食品確認画面を表示部４７に表示させる。
【０１２６】
表示部４７に食品リストを含む食品確認画面が表示されると、ユーザは、食品リストを見て判定対象食品の特定結果が正しいか否かを確認し、その結果に応じた操作を入力部４３に対して行なう。
【０１２７】
ステップＳ６４において、比較部５２は、入力部４３に対するユーザの操作に基づいて、表示された食品リストが正しいか否かを判定する。
【０１２８】
ステップＳ６４において、食品リストが正しくないと判定された場合、表示制御部５４は、表示部４７に食品入力画面を表示させ、処理はステップＳ６５に進む。
【０１２９】
ステップＳ６５において、比較部５２は食品の文字入力を受け付けて、入力部４３からユーザの操作入力に応じた信号の供給を受け、正しい判定対象食品を特定する。
【０１３０】
表示された食品リストが正しくない場合、食品特定部５１による判定対象食品の特定は正しく行なわれなかったので、正しい食品を特定する必要がある。そこで、ユーザは、入力部４３を操作して、表示部４７に表示された食品入力画面の入力欄に正しい食品名を文字入力する。比較部５２は、ユーザの入力操作に応じて入力部４３から供給される信号から、正しい判定対象食品名を得ることができる。
【０１３１】
正しい判定対象食品が特定されると、その後、処理はステップＳ６６へと進む。このように、画像認識や音声認識等により判定対象食品を特定し、その特定結果が正しくない場合にのみ、ユーザに正しい食品名を入力させることで、ユーザの入力操作の負担を軽減させることができる。
【０１３２】
すなわち、ユーザは、判定対象食品の特定結果が正しければ、いちいち判定対象食品を入力しなくてすむので、簡単な操作で迅速に薬剤と食品に関する必要な情報を得ることができるようになる。これにより、ユーザの利便性を向上させることができる。
【０１３３】
なお、ユーザが正しい食品名を文字入力する例について説明したが、例えばユーザが食品一覧のなかから、正しい食品を選択したり、食品名の頭文字や食品の種類等を指定していくことで、正しい食品を選択したりするようにしてもよい。例えば、正しい判定対象食品であると予測される食品の一覧をチェックボックスなどとともに表示させれば、ユーザの入力操作の負担を軽減させることができる。
【０１３４】
ステップＳ６５において、正しい判定対象食品が得られたか、またはステップＳ６４において、食品リストが正しいと判定された場合、ステップＳ６６において、比較部５２は、特定された判定対象食品は、禁忌食品リストにある食品であるか否かを判定する。
【０１３５】
具体的には、比較部５２は記録部４６に記録されているユーザ禁忌データベースのうち、禁忌食品の情報が含まれている部分である禁忌食品リストを参照し、禁忌食品リストにある禁忌食品と判定対象食品とを比較する。そして、比較部５２は判定対象食品が禁忌食品リストの禁忌食品として含まれている場合、禁忌食品リストにある食品であると判定する。
【０１３６】
例えば、記録部４６に図４に示したユーザ禁忌データベースが記録されており、判定対象食品が「手巻き寿司」である場合、判定対象食品「手巻き寿司」は、「可能性のある禁忌食品」の欄に含まれているので、禁忌食品リストにある食品であると判定される。
【０１３７】
ステップＳ６６において、禁忌食品リストにある食品であると判定された場合、比較部５２は、禁忌食品リストにあるとされた判定対象食品に、禁忌食材が含まれているかを確認するための食材確認画面を生成し、処理はステップＳ６７に進む。
【０１３８】
ステップＳ６７において、表示制御部５４は、比較部５２により生成された食材確認画面を表示部４７に供給し、表示させる。
【０１３９】
例えば、図４のユーザ禁忌データベースが記録部４６に記録されており、判定対象食品が「手巻き寿司」である場合、判定対象食品「手巻き寿司」に含まれている可能性のある禁忌食材として禁忌食材リストに含まれているものは「納豆」である。そこで、比較部５２は、判定対象食品に禁忌食材「納豆」が含まれているか否かを選択させる食材確認画面を生成する。
【０１４０】
食材確認画面は、例えば図１の矢印Ａ１４に示した画面などとされる。なお、図１の例では、禁忌食材は「マグロ」とされている。また、禁忌食材が複数ある場合には、禁忌食材のリストが食材確認画面に表示されてもよいし、禁忌食材が含まれているかの確認が１つずつ行なわれるようにしてもよい。
【０１４１】
食材確認画面が表示部４７に表示されると、ユーザは入力部４３を操作して、判定対象食品に禁忌食材が含まれているか否かを入力（選択）する。
【０１４２】
ステップＳ６８において、比較部５２は食材確認画面に対するユーザの入力操作に基づいて、すなわち入力部４３から供給されるユーザの操作に応じた信号に基づいて、判定対象食品に禁忌食材が含まれているか否かを判定する。
【０１４３】
ステップＳ６８において、禁忌食材が含まれていると判定された場合、ステップＳ６９において、表示制御部５４は、ユーザに注意を喚起させる警告メッセージを表示部４７に供給し、表示させる。
【０１４４】
すなわち、警告通知部５３は、例えば図１の矢印Ａ１５に示した警告メッセージと同様の警告メッセージを生成し、表示制御部５４は生成された警告メッセージを表示部４７に供給して表示させる。警告メッセージが表示されると、禁忌判定処理は終了する。
【０１４５】
このような警告メッセージの表示により、ユーザは、これから食べようとする食品メニューに、服用中の薬剤に対する禁忌食材が含まれていることを即時的に知ることができる。なお、ここでは、ユーザに対する警告の通知方法として、警告メッセージの表示を例として説明したが、警告メッセージ（文字メッセージ）や音声、振動など、どのような方法で警告が通知されてもよい。例えば、警告メッセージとともに音声メッセージが再生されるようにしてもよい。
【０１４６】
また、ステップＳ６６において禁忌食品リストにある食品ではないと判定されたか、またはステップＳ６８において禁忌食材が含まれていないと判定された場合、ステップＳ７０において、警告通知部５３は、危険性がない旨のメッセージを表示させる。
【０１４７】
すなわち、警告通知部５３は、判定対象食品には組み合わせ禁忌の危険性がない旨のメッセージを生成し、表示制御部５４は、生成された危険性がない旨のメッセージを表示部４７に供給して表示させる。これにより、表示部４７には、例えば図１の矢印Ａ１６に示した画面が表示される。なお、危険性がない旨のメッセージは、文字メッセージに限らず、音声メッセージなどとされてもよい。
【０１４８】
表示部４７に危険性がない旨のメッセージが表示されると、禁忌判定処理は終了する。
【０１４９】
以上のようにして、携帯型端末装置１１は食品情報を取得して判定対象食品を特定し、その特定結果とユーザ禁忌データベースとを比較して、判定対象食品に禁忌食材が含まれているか否かを特定する。そして、携帯型端末装置１１は、その特定結果に応じて、警告メッセージにより、ユーザに対して組み合わせ禁忌のリスクがあることを通知し、注意を喚起する。
【０１５０】
このように、必要に応じてユーザの入力操作を受けながら、判定対象食品の特定結果とユーザ禁忌データベースとを比較して、判定対象食品に禁忌食材が含まれているか否かを特定することで、より簡単かつ迅速に、薬剤と食品に関する適切な情報をユーザに提供することができる。
【０１５１】
特に、情報処理システムでは、電子お薬手帳、すなわち薬歴データの情報更新の即時性と、薬歴データ等の薬歴などに関する情報の一元管理の利点を利用して、ユーザが組み合わせ禁忌となる食品と薬剤を摂取する前に携帯型端末装置１１により、注意を喚起することができる。また、携帯型端末装置１１では、携帯型端末装置１１が有する撮影機能や文字音声入力機能、および通信機能を組み合わせることで、高齢者などＩＴ（Information Technology）に不慣れなユーザでも、簡単な操作で、組み合わせ禁忌のリスクを回避することができる。
【０１５２】
さらに、ユーザは携帯型端末装置１１を操作するだけで、ユーザのいる場所や時間などによらず、組み合わせ禁忌に関する適切な情報を得ることができる。
【０１５３】
なお、以上においては、ユーザ禁忌データベースが携帯型端末装置１１に記録される例について説明したが、ユーザ禁忌データベースはデータセンタ１４などの他の装置に記録されるようにしてもよい。そのような場合、携帯型端末装置１１は、必要に応じて判定対象食品の特定結果等をデータセンタ１４に送信し、判定対象食品が禁忌食品リストにあるかや、判定対象食品に禁忌食材が含まれているかの判定結果を、データセンタ１４から取得する。この場合、判定対象食品が禁忌食品リストにあるかや、判定対象食品に禁忌食材が含まれているかの判定は、例えばデータセンタ１４などの外部装置により行なわれる。
【０１５４】
また、携帯型端末装置１１において、ユーザ禁忌データベースが生成されるようにしてもよい。
【０１５５】
〈第２の実施の形態〉
［携帯型端末装置とデータサーバの構成例］
さらに、以上においては、携帯型端末装置１１において食品情報から判定対象食品の特定が行なわれる例について説明したが、判定対象食品の特定は、例えばデータセンタ１４などの外部の装置により行なわれるようにしてもよい。
【０１５６】
そのような場合、例えば携帯型端末装置１１およびデータセンタ１４は、それぞれ図９および図１０に示すように構成される。なお、図９および図１０において、図３および図６における場合と対応する部分には同一の符号を付してあり、その説明は適宜省略する。
【０１５７】
図９は、携帯型端末装置１１の他の構成例を示す図である。図９の携帯型端末装置１１は、通信部４１乃至表示部４７から構成されており、図９の携帯型端末装置１１の構成は、図３に示した携帯型端末装置１１の構成と、制御部４５に食品特定部５１が設けられていない点で異なり、他の点は同じとなっている。
【０１５８】
また、図１０は、データセンタ１４の他の構成例を示す図である。図１０のデータセンタ１４は、通信部１２１乃至サーバ内データベース１２３から構成されており、図１０のデータセンタ１４の構成は、図６に示したデータセンタ１４の構成と、制御部１２２に食品特定部５１が設けられている点で異なり、他の点では同じとなっている。
【０１５９】
［禁忌判定処理と食品特定処理の説明］
次に、携帯型端末装置１１およびデータセンタ１４が、図９および図１０に示す構成とされる場合における処理について、説明する。すなわち、以下、図１１のフローチャートを参照して、携帯型端末装置１１による禁忌判定処理、およびデータセンタ１４による食品特定処理について説明する。
【０１６０】
ステップＳ１０１において、撮影部４４は食品情報を取得し、制御部４５に供給する。すなわち、撮影部４４は、判定対象食品を撮影し、その結果得られた食品画像を食品情報として制御部４５に供給する。制御部４５は、撮影部４４から供給された食品情報を通信部４１に供給する。
【０１６１】
なお、ステップＳ１０１においても、図８のステップＳ６１における場合と同様に、入力部４３としてのマイクロホンにより、ユーザにより発せられた音声が食品情報として取得されるようにしてもよい。
【０１６２】
ステップＳ１０２において、通信部４１は、制御部４５からの食品情報を、データセンタ１４に送信するとともに、データセンタ１４に食品の特定を要求する。
【０１６３】
すると、ステップＳ１３１において、データセンタ１４の通信部１２１は、携帯型端末装置１１から送信されてきた食品情報を受信して、制御部１２２に供給する。
【０１６４】
ステップＳ１３２において、食品特定部５１は、通信部１２１からの食品情報に基づいて、判定対象食品を特定し、その特定結果を通信部１２１に供給する。ステップＳ１３２では、図８のステップＳ６２と同様の処理が行なわれる。
【０１６５】
ステップＳ１３３において、通信部１２１は、食品特定部５１から供給された判定対象食品の特定結果を、携帯型端末装置１１に送信し、食品特定処理は終了する。
【０１６６】
ステップＳ１０３において、携帯型端末装置１１の通信部４１は、データセンタ１４から送信されてきた判定対象食品の特定結果を受信して、制御部４５に供給する。
【０１６７】
判定対象食品の特定結果が受信されると、その後、ステップＳ１０４乃至ステップＳ１１１の処理が行なわれて、禁忌判定処理は終了するが、これらの処理は図８のステップＳ６３乃至ステップＳ７０の処理と同様であるので、その説明は省略する。
【０１６８】
以上のようにして、携帯型端末装置１１は、取得した食品情報をデータセンタ１４に送信するとともに、データセンタ１４から送信された食品の特定結果を受信し、その食品の特定結果を用いて、組み合わせ禁忌についての判定処理を行なう。
【０１６９】
このように、携帯型端末装置１１とは異なる装置において、食品の特定処理を行なう場合でも、より簡単かつ迅速に、薬剤と食品に関する適切な情報をユーザに提供することができる。
【０１７０】
なお、ここでは、判定対象食品の特定を携帯型端末装置１１とは異なる装置において行なう例について説明したが、食品情報も外部の装置から取得するようにしてもよい。
【０１７１】
〈第３の実施の形態〉
［禁忌判定処理の説明］
また、以上においては、食品情報から判定対象食品を特定する例について説明したが、例えば食品が盛り付けられている食器などにＩＣ（Integrated Circuit）タグが設けられ、そのＩＣタグに食品の食材に関する情報が記録されている場合には、画像認識による食品特定が不要となる。
【０１７２】
そのような場合、携帯型端末装置１１は、食器に設けられたＩＣタグと通信し、ＩＣタグから食品の材料（食材）を示す食材情報を読み出して、禁忌判定を行なう。以下、図１２のフローチャートを参照して、図３の携帯型端末装置１１がＩＣタグから食材情報を取得する場合における禁忌判定処理について説明する。
【０１７３】
ステップＳ１６１において、携帯型端末装置１１の近接通信部４２は、判定対象食品が盛り付けられた食器のＩＣタグと非接触通信し、ＩＣタグから食材情報を読み出す（取得する）。そして、近接通信部４２は、読み出した食材情報を制御部４５に供給する。
【０１７４】
ステップＳ１６２において、比較部５２は、近接通信部４２から供給された食材情報と、記録部４６に記録されているユーザ禁忌データベースとを比較して、食材情報により示される食材が禁忌食材であるか否かを判定する。
【０１７５】
例えば、ユーザ禁忌データベースの禁忌食材リストの部分に、食材情報により示される食材が禁忌食材として含まれている場合、禁忌食材であると判定される。
【０１７６】
ステップＳ１６２において、禁忌食材であると判定された場合、ステップＳ１６３において、表示制御部５４は、ユーザに注意を喚起させる警告メッセージを表示部４７に供給して表示させ、禁忌判定処理は終了する。
【０１７７】
すなわち、警告通知部５３は、例えば図１の矢印Ａ１５に示した警告メッセージと同様の警告メッセージを生成し、表示制御部５４は生成された警告メッセージを表示部４７に供給して表示させる。
【０１７８】
これに対して、ステップＳ１６２において、禁忌食材ではないと判定された場合、ステップＳ１６４において、表示制御部５４は、危険性がない旨のメッセージを表示させ、禁忌判定処理は終了する。
【０１７９】
すなわち、警告通知部５３は、判定対象食品には組み合わせ禁忌の危険性がない旨のメッセージを生成し、表示制御部５４は、生成された危険性がない旨のメッセージを表示部４７に供給して表示させる。これにより、表示部４７には、例えば図１の矢印Ａ１６に示した画面が表示される。
【０１８０】
以上のようにして、携帯型端末装置１１は食材情報を取得し、食材情報とユーザ禁忌データベースとを比較して、判定対象食品に禁忌食材が含まれているか否かを特定する。そして、携帯型端末装置１１は、その特定結果に応じて、警告メッセージにより、ユーザに対して組み合わせ禁忌のリスクがあることを通知し、注意を喚起する。
【０１８１】
このように、携帯型端末装置１１が食材情報を取得するようにすることで、より簡単かつ迅速に、薬剤と食品に関する適切な情報をユーザに提供することができる。
【０１８２】
なお、携帯型端末装置１１が、食器に設けられたＩＣタグから判定対象食品を示す情報を食品情報として取得するようにしてもよい。そのような場合には、例えば食品情報の取得後、図８のステップＳ６６乃至ステップＳ７０の処理が行なわれる。
【０１８３】
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１８４】
図１３は、上述した一連の処理をプログラムにより実行するコンピュータのハードウェアの構成例を示すブロック図である。
【０１８５】
コンピュータにおいて、CPU（Central Processing Unit）２０１，ROM（Read Only Memory）２０２，RAM（Random Access Memory）２０３は、バス２０４により相互に接続されている。
【０１８６】
バス２０４には、さらに、入出力インターフェース２０５が接続されている。入出力インターフェース２０５には、入力部２０６、出力部２０７、記録部２０８、通信部２０９、及びドライブ２１０が接続されている。
【０１８７】
入力部２０６は、キーボード、マウス、マイクロホン、撮像素子などよりなる。出力部２０７は、ディスプレイ、スピーカなどよりなる。記録部２０８は、ハードディスクや不揮発性のメモリなどよりなる。通信部２０９は、ネットワークインターフェースなどよりなる。ドライブ２１０は、磁気ディスク、光ディスク、光磁気ディスク、又は半導体メモリなどのリムーバブルメディア２１１を駆動する。
【０１８８】
以上のように構成されるコンピュータでは、CPU２０１が、例えば、記録部２０８に記録されているプログラムを、入出力インターフェース２０５及びバス２０４を介して、RAM２０３にロードして実行することにより、上述した一連の処理が行われる。
【０１８９】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０１９０】
コンピュータでは、プログラムは、リムーバブルメディア２１１をドライブ２１０に装着することにより、入出力インターフェース２０５を介して、記録部２０８にインストールすることができる。また、プログラムは、有線または無線の伝送媒体を介して、通信部２０９で受信し、記録部２０８にインストールすることができる。その他、プログラムは、ROM２０２や記録部２０８に、あらかじめインストールしておくことができる。
【０１９１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１９２】
また、本技術の実施の形態は、上述した実施の形態に限定されるものではなく、本技術の要旨を逸脱しない範囲において種々の変更が可能である。
【０１９３】
例えば、本技術は、１つの機能をネットワークを介して複数の装置で分担、共同して処理するクラウドコンピューティングの構成をとることができる。
【０１９４】
また、上述のフローチャートで説明した各ステップは、１つの装置で実行する他、複数の装置で分担して実行することができる。
【０１９５】
さらに、１つのステップに複数の処理が含まれる場合には、その１つのステップに含まれる複数の処理は、１つの装置で実行する他、複数の装置で分担して実行することができる。
【０１９６】
さらに、本技術は、以下の構成とすることも可能である。
【０１９７】
［１］
禁忌判定の対象となる判定対象食品に関する食品情報を取得する取得部と、
少なくとも薬剤と、前記薬剤に対して禁忌とされている禁忌食材とを示す情報が含まれている禁忌データベース、および前記食品情報に基づいて、前記判定対象食品に、ユーザが服用している前記薬剤の前記禁忌食材が含まれているかを特定する比較部と、
前記比較部による特定結果に応じて、前記薬剤と前記禁忌食材の組み合わせ禁忌について警告通知を行なう警告通知部と
を備える情報処理装置。
［２］
前記禁忌データベースには、前記禁忌食材を含む可能性のある禁忌食品を示す情報がさらに含まれており、
前記取得部は、前記判定対象食品を撮影して得られた食品画像、または前記判定対象食品の食品名に対応する音声を前記食品情報として取得し、
前記食品情報に基づいて、前記判定対象食品を特定する食品特定部をさらに備え、
前記比較部は、前記食品特定部による特定結果と前記禁忌データベースとを比較することで、前記判定対象食品に前記禁忌食材が含まれているかを特定する
［１］に記載の情報処理装置。
［３］
前記比較部は、前記食品特定部による前記判定対象食品の特定結果が正しくない場合、前記ユーザにより入力された前記判定対象食品を示す情報と、前記禁忌データベースとを比較することで、前記判定対象食品に前記禁忌食材が含まれているかを特定する
［２］に記載の情報処理装置。
［４］
前記禁忌データベースにおいて、前記ユーザが服用している前記薬剤の前記禁忌食品として前記判定対象食品が含まれていると前記比較部により特定された場合、特定された前記禁忌食品の材料となる前記禁忌食材が前記判定対象食品に含まれているか否かを選択操作により入力させるための食材確認画面を表示させる表示制御部をさらに備え、
前記警告通知部は、前記食材確認画面に対する入力操作に応じて前記警告通知を行なう
［２］または［３］に記載の情報処理装置。
［５］
前記禁忌データベースを取得するデータベース取得部をさらに備える
［１］乃至［４］に記載の情報処理装置。
［６］
前記禁忌データベースを記録する記録部をさらに備える
［１］乃至［５］に記載の情報処理装置。
［７］
前記食品情報を送信するとともに、前記食品情報の送信に応じて送信されてきた、前記食品情報に基づく前記判定対象食品の特定結果を受信する通信部をさらに備え、
前記比較部は、前記判定対象食品の前記特定結果と前記禁忌データベースとを比較することで、前記判定対象食品に前記禁忌食材が含まれているかを特定する
［１］に記載の情報処理装置。
［８］
前記取得部は、前記判定対象食品の食材を示す情報を前記食品情報として取得し、
前記比較部は、前記禁忌データベースにおいて、前記判定対象食品の食材が、前記ユーザが服用している前記薬剤の前記禁忌食材として含まれているかを特定する
［１］に記載の情報処理装置。
［９］
禁忌判定の対象となる判定対象食品に関する食品情報を取得し、
少なくとも薬剤と、前記薬剤に対して禁忌とされている禁忌食材とを示す情報が含まれている禁忌データベース、および前記食品情報に基づいて、前記判定対象食品に、ユーザが服用している前記薬剤の前記禁忌食材が含まれているかを特定し、
前記禁忌食材が含まれているかの特定結果に応じて、前記薬剤と前記禁忌食材の組み合わせ禁忌について警告通知を行なう
ステップを含む情報処理方法。
［１０］
禁忌判定の対象となる判定対象食品に関する食品情報を取得し、
少なくとも薬剤と、前記薬剤に対して禁忌とされている禁忌食材とを示す情報が含まれている禁忌データベース、および前記食品情報に基づいて、前記判定対象食品に、ユーザが服用している前記薬剤の前記禁忌食材が含まれているかを特定し、
前記禁忌食材が含まれているかの特定結果に応じて、前記薬剤と前記禁忌食材の組み合わせ禁忌について警告通知を行なう
ステップを含む処理をコンピュータに実行させるプログラム。
［１１］
少なくとも薬剤と、前記薬剤に対して禁忌とされている禁忌食材とを示す情報が含まれている組み合わせデータベース、およびユーザが服用している前記薬剤に関するユーザ薬歴情報を記録する記録部と、
前記組み合わせデータベースおよび前記ユーザ薬歴情報に基づいて、前記ユーザが服用している前記薬剤と、その前記薬剤の前記禁忌食材とを示す情報が含まれる禁忌データベースを生成する生成部と、
前記禁忌データベースを送信する通信部と
を備える情報処理装置。
［１２］
前記組み合わせデータベースおよび前記禁忌データベースには、前記禁忌食材を含む可能性のある禁忌食品を示す情報がさらに含まれている
［１１］に記載の情報処理装置。
［１３］
禁忌判定の対象となる判定対象食品に関する食品情報に基づいて、前記判定対象食品を特定する食品特定部をさらに備え、
前記通信部は、前記食品情報を受信し、前記食品情報に基づく前記判定対象食品の特定結果を送信する
［１１］または［１２］に記載の情報処理装置。
［１４］
記録部に記録されている、少なくとも薬剤と、前記薬剤に対して禁忌とされている禁忌食材とを示す情報が含まれている組み合わせデータベース、およびユーザが服用している前記薬剤に関するユーザ薬歴情報に基づいて、前記ユーザが服用している前記薬剤と、その前記薬剤の前記禁忌食材とを示す情報が含まれる禁忌データベースを生成し、
前記禁忌データベースを送信する
ステップを含む情報処理方法。
［１５］
記録部に記録されている、少なくとも薬剤と、前記薬剤に対して禁忌とされている禁忌食材とを示す情報が含まれている組み合わせデータベース、およびユーザが服用している前記薬剤に関するユーザ薬歴情報に基づいて、前記ユーザが服用している前記薬剤と、その前記薬剤の前記禁忌食材とを示す情報が含まれる禁忌データベースを生成し、
前記禁忌データベースを送信する
ステップを含む処理をコンピュータに実行させるプログラム。
【符号の説明】
【０１９８】
１１  携帯型端末装置，  １２  薬局内システム，  １４  データセンタ，  ４１  通信部，  ４４  撮影部，  ４５  制御部，  ４６  記録部，  ４７  表示部，  ５１  食品特定部，  ５２  比較部，  ５３  警告通知部，  ５４  表示制御部，  １３２  生成部
【図１】
2014016763.tif 000003
【図２】
2014016763.tif 000004
【図３】
2014016763.tif 000005
【図４】
2014016763.tif 000006
【図５】
2014016763.tif 000007
【図６】
2014016763.tif 000008
【図７】
2014016763.tif 000009
【図８】
2014016763.tif 000010
【図９】
2014016763.tif 000011
【図１０】
2014016763.tif 000012
【図１１】
2014016763.tif 000013
【図１２】
2014016763.tif 000014
【図１３】
2014016763.tif 000015